(57)【要約】【課題】  出力ピンアサイメントを切り替えることが出来る有機ＥＬ表示パネルのデータドライバＩＣを実現する。【解決手段】  第１表示部１１と第２表示部１２に分割して駆動される有機ＥＬ表示パネルの列配線群に接続可能に構成され、画像データに応じた入力信号から各列配線の駆動信号を生成する駆動手段８であって、駆動回路２８と出力端子Ａ〜Ｈとを備えており、駆動回路群には、出力端子に出力される出力信号を切り替えるための切り替え手段４８が接続されている。【選択図】        図４
2006163246.tif 000002
【特許請求の範囲】
【請求項１】
第１群と第２群とに分けられるマトリクス状に配置された複数の有機ＥＬ発光素子と、
前記複数の有機ＥＬ発光素子のそれぞれを駆動するための出力信号を出力する複数の駆動回路を含む駆動回路部と
を備えてなり、
前記駆動回路部は、前記第１群の各有機ＥＬ発光素子を発光させるための第１データと、前記第２群の各有機ＥＬ発光素子を発光させるための第２データとが交互に並べられてなる入力データから複数の前記出力信号を生成するものであり、
第１群の有機ＥＬ発光素子を駆動する駆動回路と第２群の有機ＥＬ発光素子を駆動する駆動回路とが交互に並ぶよう前記複数の駆動回路が構成されているときに用いられ、前記入力データ中の各有機ＥＬ発光素子のためのデータを、前記入力データにおける順序に従って各駆動回路に割り当てる第１の入力割り当てと、第１群の有機ＥＬ発光素子を駆動する駆動回路が連続して並び、第２群の有機ＥＬ発光素子を駆動する駆動回路が連続して並ぶよう前記複数の駆動回路が構成されているときに用いられ、前記入力データのうち前記第１データを連続して並ぶ各駆動回路に割り当て、前記第２データを連続して並ぶ残りの各駆動回路に割り当てる第２の入力割り当てとを切り替える入力割り当て変更手段をさらに備える有機ＥＬ表示装置。
【請求項２】
第１群と第２群とに分けられるマトリクス状に配置された複数の有機ＥＬ発光素子と、
前記複数の有機ＥＬ発光素子のそれぞれを駆動するための出力信号を出力する複数の駆動回路を含む駆動回路部と
を備えてなり、
前記駆動回路部は、前記第１群の各有機ＥＬ発光素子を発光させるための第１データと、前記第２群の各有機ＥＬ発光素子を発光させるための第２データとが交互に並べられてなる入力データから複数の前記出力信号を生成するものであり、前記入力データ中の各有機ＥＬ発光素子のためのデータは、前記入力データにおけるデータの順に連続して並ぶ各駆動回路に割り当てて入力され、
第１群の有機ＥＬ発光素子を駆動するための接続パッドと第２群の有機ＥＬ発光素子を駆動するための接続パッドとが交互に並ぶよう各接続パッドが構成されているときに用いられ、各駆動回路の出力を、前記駆動回路部における駆動回路の並びの順に各接続パッドに出力させるよう割り当てる第１の出力割り当てと、第１群の有機ＥＬ発光素子を駆動するための接続パッドが連続して並び、第２群の有機ＥＬ発光素子を駆動するための接続パッドが連続して並ぶよう各接続パッドが構成されているときに用いられ、複数の駆動回路のうち、第１データが入力される各駆動回路の出力を連続して並ぶ接続パッドに出力するよう割り当て、第２データが入力される各駆動回路の出力を連続して並ぶ残りの接続パッドに出力するよう割り当てる第２の出力割り当てとを切り替える出力割り当て変更手段をさらに備える有機ＥＬ表示装置。
【請求項３】
第１群と第２群とに分けられるマトリクス状に配置された複数の有機ＥＬ発光素子と、該マトリクスの有機ＥＬ発光素子を駆動する複数の列配線とを備える有機ＥＬ表示パネルに接続可能に構成され、前記複数の有機ＥＬ発光素子の各有機ＥＬ発光素子を駆動するための出力信号を前記列配線に出力する複数の駆動回路を含む駆動回路部を備えてなる有機ＥＬ表示装置ＥＬ表示パネルの駆動手段であって、
前記駆動回路部は、前記第１群の各有機ＥＬ発光素子を発光させるための第１データと、前記第２群の各有機ＥＬ発光素子を発光させるための第２データとが交互に並べられてなる入力データから複数の前記出力信号を生成するものであり、
第１群の有機ＥＬ発光素子を駆動する駆動回路と第２群の有機ＥＬ発光素子を駆動する駆動回路とが交互に並ぶよう前記複数の駆動回路が構成されているときに用いられ、前記入力データ中の各有機ＥＬ発光素子のためのデータを前記入力データにおける順序に従って各駆動回路に割り当てる第１の入力割り当てと、第１群の有機ＥＬ発光素子を駆動する駆動回路が連続して並び、第２群の有機ＥＬ発光素子を駆動する駆動回路が連続して並ぶよう前記複数の駆動回路が構成されているときに用いられ、前記入力データのうち前記第１データを連続して並ぶ各駆動回路に割り当て、前記第２データを連続して並ぶ残りの各駆動回路に割り当てる第２の入力割り当てとを切り替える入力割り当て変更手段をさらに備える駆動手段。
【請求項４】
前記入力割り当て変更手段は、複数のサンプリング手段を有しており、該サンプリング手段のそれぞれは、前記駆動回路のそれぞれに接続されて、前記入力データをサンプリングするものであり、
該サンプリング手段にサンプリングを行なわせるタイミングを制御可能な制御信号を送信するタイミング制御手段をさらに備えており、
該制御信号は、前記サンプリング手段のそれぞれに接続されている各駆動回路からの出力信号がどの列配線に出力されるかの割り当てを、前記第１の入力割り当てとなるよう前記サンプリング手段を制御する第１の制御信号と、前記第２の入力割り当てとなるよう前記サンプリング手段を制御第２の制御信号とから選択される、請求項３に記載の駆動手段。
【請求項５】
第１群と第２群とに分けられるマトリクス状に配置された複数の有機ＥＬ発光素子と、該マトリクスの有機ＥＬ発光素子を駆動する複数の列配線とを備える有機ＥＬ表示パネルに接続可能に構成され、前記複数の有機ＥＬ発光素子の各有機ＥＬ発光素子を駆動するための出力信号を前記列配線に出力する複数の駆動回路を含む駆動回路部を備えてなる有機ＥＬ表示装置ＥＬ表示パネルの駆動手段であって、
前記駆動回路部は、前記第１群の各有機ＥＬ発光素子を発光させるための第１データと、前記第２群の各有機ＥＬ発光素子を発光させるための第２データとが交互に並べられてなる入力データから複数の前記出力信号を生成するものであり、
第１群の有機ＥＬ発光素子を駆動するための接続パッドと第２群の有機ＥＬ発光素子を駆動するための接続パッドとが交互に並ぶよう各接続パッド構成されているときに用いられ、各駆動回路の出力を、前記駆動回路部における駆動回路の並びの順に各接続パッドに出力させるよう割り当てる第１の出力割り当てと、第１群の有機ＥＬ発光素子を駆動するための接続パッドが連続して並び、第２群の有機ＥＬ発光素子を駆動するための接続パッドが連続して並ぶよう各接続パッドが構成されているときに用いられ、複数の駆動回路のうち、第１データが入力される各駆動回路の出力を連続して並ぶ接続パッドに出力するよう割り当て、第２データが入力される各駆動回路の出力を連続して並ぶ残りの接続パッドに出力するよう割り当てる第２の出力割り当てとを切り替える出力割り当て変更手段をさらに備える駆動手段。
【請求項６】
有機ＥＬ表示パネルと駆動手段とを備える有機ＥＬ表示装置であって、
該有機ＥＬ表示パネルは、
第１群と第２群とに分けられるマトリクス状に配置された複数の有機ＥＬ発光素子と、
前記第１群の有機ＥＬ発光素子を駆動するための複数の第１の列配線であって、各列配線が、前記駆動手段と接続するための第１のパッドを有している、複数の第１の列配線と、
前記第２群の有機ＥＬ発光素子を駆動するための複数の第２の列配線であって、各列配線が、前記駆動手段と接続するための第２のパッドを有している、複数の第２の列配線と
を備え、複数の前記第１のパッドは、前記マトリクスの周りの領域のうち前記有機ＥＬ発光素子の前記第１群に隣接する部分に沿う第１の線分上に配置され、複数の前記第２のパッドは、前記領域の前記辺に沿い、前記第１の線分と重ならない第２の線分上に配置されており、
前記駆動手段は、
各有機ＥＬ発光素子を駆動するための出力信号を前記いずれかの列配線に出力し、前記第１群の有機ＥＬ発光素子を発光させるための第１データと、前記第２群の有機ＥＬ発光素子を発光させるための第２データとが交互に並べられてなる入力データから複数の前記出力信号を生成する駆動回路群であって、 前記入力データのうちの前記第１データに基づく出力信号は、前記駆動手段において連続して並んでいるいくつかの駆動回路により生成され、前記第２データに基づく出力信号は、連続して並んでいる残りの駆動回路により生成される駆動回路群と、
前記第１データに基づいて出力信号を生成する駆動回路からの出力を複数の前記第１のパッドに伝え、個々の配線が並走するよう形成された第１出力配線群と、前記第２データに基づいて出力信号を生成する駆動回路からの出力を複数の前記第２のパッドに伝え、個々の配線が並走するよう形成された第２出力配線群とを備えるフレキシブル基板と
を備えている有機ＥＬ表示装置。
【請求項７】
第１群の有機ＥＬ発光素子を駆動するための複数の第１のパッドと、第２群の有機ＥＬ発光素子を駆動するための複数の第２のパッドとを有し、複数の前記第１のパッドは第１の線分上に配置され、複数の前記第２のパッドは、前記第１の線分と重ならない第２の線分上に配置されている、有機ＥＬ表示パネルに接続可能に構成されている有機ＥＬ表示パネルの駆動手段であって、
前記第１群の有機ＥＬ発光素子を発光させるための第１データと、前記第２群の有機ＥＬ発光素子を発光させるための第２データとが交互に並べられてなる入力データから複数の出力信号を生成する駆動回路群であって、 前記入力データのうちの前記第１データに基づく出力信号は、前記駆動手段において連続して並んでいるいくつかの駆動回路により生成され、前記第２データに基づく出力信号は、連続して並んでいる残りの駆動回路により生成される、駆動回路群と、
前記第１データに基づいて出力信号を生成する駆動回路からの出力を複数の前記第１のパッドに伝え、個々の配線が並走するよう形成された第１出力配線群と、前記第２データに基づいて出力信号を生成する駆動回路からの出力を複数の前記第２のパッドに伝え、個々の配線が並走するよう形成された第２出力配線群とを備えるフレキシブル基板と
を備えている駆動手段。
【請求項８】
第１群の有機ＥＬ発光素子と第２群の有機ＥＬ発光素子とを含むマトリクス状に配置された複数の有機ＥＬ発光素子と、該マトリクスの各列の有機ＥＬ発光素子を駆動する複数の列配線とを備える有機ＥＬ表示パネルに接続可能に構成された駆動回路群であって、各駆動回路は、前記複数の有機ＥＬ発光素子の各有機ＥＬ発光素子を駆動するための複数の出力信号を前記列配線に出力する、駆動回路部を含む駆動手段に、画像に応じたデータを供給するためのデータ送信手段であって、
前記第１群の有機ＥＬ発光素子に供給されるべきデータと前記第２群の有機ＥＬ発光素子に供給されるべきデータとを多重化するためのマルチプレクサと、
前記マルチプレクサから出力される多重化されたデータを前記駆動手段に伝達するためのバスラインと、
多重化された前記データを前記第１群の有機ＥＬ発光素子と前記第２群の有機ＥＬ発光素子とに振り分けるために前記駆動手段の制御に用いられるクロック信号を発生させるクロック発生器と
を備えてなるデータ送信手段。
【発明の詳細な説明】
【技術分野】
【０００１】
本発明は、有機ＥＬ表示装置に関する。特に、本発明は、パッシブマトリクス駆動を行なう有機ＥＬ表示装置、パッシブマトリクス駆動を行う有機ＥＬ表示パネルの駆動手段および表示データ送信手段に関する。
【背景技術】
【０００２】
従来、高精細で視認性に優れ、携帯端末機または産業用計測器の表示など広範囲な応用可能性を有する有機エレクトロルミネセンスディスプレイ（または有機発光ダイオードディスプレイ、以下「有機ＥＬ表示パネル」という）が知られている。有機ＥＬ表示パネルは第１素子電極と第２素子電極に挟持された電子輸送層、有機ＥＬ発光層、正孔輸送層を有する有機ＥＬ発光素子を各画素に備えている。有機ＥＬ発光素子においては、第１素子電極と第２素子電極により注入された電流を可視光に変換して発光が実現する。このような有機ＥＬ表示パネルは自ら発光を行なう自発光タイプの表示装置であり、例えば液晶表示装置等の非発光型表示装置に比較して、視野角が広く、応答速度が速いという利点を有している。係る利点のため、有機ＥＬ表示パネルは、携帯電話端末装置、携帯型パーソナルコンピュータ、薄型テレビジョンのフラットパネル表示装置として開発が進められている。
【０００３】
このような有機ＥＬ表示パネルにおいて、各画素に所望の発光を独立して行なわせて駆動する方式（ドットマトリクス駆動方式）としては、アモルファスシリコン層やポリシリコン層等を活性層（能動層）として有するＴＦＴ素子（Ｔｈｉｎ  Ｆｉｌｍ  Ｔｒａｎｓｉｓｔｏｒ；薄膜トランジスタ）等のアクティブ駆動素子を用いるアクティブマトリクス駆動方式と、行および列に配列された多数のストライプ状電極を組み合わせて、各画素において行および列の電極により挟持される有機ＥＬ発光層を駆動するパッシブマトリクス駆動方式とがある。パッシブマトリクス方式では、透明電極からなる所定のスキャンライン（陰極配線）とアルミニウムなどの金属電極からなる所定のデータライン（陽極配線）によって有機ＥＬ発光層が挟持されていて、これらの電極を単純マトリクス駆動（あるいは、デューティ駆動）することにより有機ＥＬ発光層に電流を流す。こうして、スキャンラインとデータラインとによってアドレス指定される画素を所望の輝度によって発光させる。
【０００４】
図１５〜図２２を用いて、従来のパッシブマトリクス方式により駆動される有機ＥＬ表示パネル３１０を説明する。
【０００５】
図１５は、従来のパッシブマトリクス方式により駆動される有機ＥＬ表示パネル３１０の構成要素を示すブロック構成図であり、図１６は従来の有機ＥＬ表示パネル３１０の表示部３２２の電気的構成を示す回路図である。従来の有機ＥＬ表示パネル３１０に用いる画像データは、１フレーム分だけフレームメモリ３０１に蓄えられる。そして、この画像データはデータバス３０６により、データドライバＩＣ（駆動手段）３０８に転送される。各データドライバＩＣ３０８は、図示しないが、カスケード接続のデータ線によって互いに接続されており、フレームメモリ３０１から読み出されたデータが各データドライバＩＣ３０８に転送される。
【０００６】
走査ドライバＩＣ３２０は、フレームメモリ出力データが１行分だけ転送されると、そのフレームメモリ出力データにより発光させるべき有機ＥＬ発光素子が含まれる行の陰極走査信号線（行ライン）３２１のひとつを選択して、選択した行ラインをグランドに接地させる。そして、選択された行の有機ＥＬ発光素子に流すべき発光電流が、データドライバ３０８により各陽極データ信号線３１９を通って伝達される。このとき、選択されていない行ラインは、有機ＥＬ発光素子に発光電流が流れないよう、データドライバＩＣ３０８が各データラインに発光電流を流す際の電圧より高い電圧が印加される。図１６に示した回路図から明らかなように、各陽極データ信号線３１９を通じて選択されている行ラインの有機ＥＬ発光素子それぞれには、各データラインにより制御された発光電流が流される。
【０００７】
このような従来の有機ＥＬ表示パネル３１０において、表示する画素数を増やすために、有機ＥＬ表示パネル３１０の表示領域を２つに分割することが行なわれている。図１７は、従来の分割駆動により駆動される有機ＥＬ表示パネル３１０の構成要素を示すブロック構成図である。図１７に示すように、本従来例では、フレームメモリ３０１は、フレームメモリ３０１Ａ（セグメント１）とフレームメモリ３０１Ｂ（セグメント２）に分割される。フレームメモリ出力データは、データ転送手段３０６Ａおよび３０６Ｂによって、表示部３２２Ａと３２２Ｂとを駆動するために配置されるデータドライバＩＣ３０８に伝達される。フレームメモリ３０１Ａ（セグメント１）に対応する表示部３２２Ａには、表示部３２２Ａの領域の有機ＥＬ発光素子３０７を駆動するための陽極データ信号線３１９Ａを介して発光電流が伝達され、フレームメモリ３０１Ｂ（セグメント２）に対応する表示部３２２Ｂには、表示部３２２Ｂの領域の有機ＥＬ発光素子３０７を駆動するための陽極データ信号線３１９Ｂを介して発光電流が伝達される。表示部３２２Ａと表示部３２２Ｂの同じ列にある有機ＥＬ発光素子３０７を駆動する列配線３１９Ａと列配線３１９Ｂとは互いに接続されていないため、列配線３１９Ａと列配線３１９Ｂは、有機ＥＬ表示パネル３１０の二つの辺に引出され、そこでデータドライバＩＣ３０８が搭載されたフレキシブル基板３０９に接続される。また、表示部３２２Ａには、走査ドライバＩＣ３２０Ａに接続される行ライン３２１Ａが配置され、表示部３２２Ｂには、走査ドライバＩＣ３２０Ｂに接続される行ライン３２１Ｂが配置される。
【０００８】
図１８は、分割駆動する従来の有機ＥＬ表示パネル３１０の表示部３２２の電気的構成を示す回路図である。このように、分割駆動する有機ＥＬ表示パネル３１０の電気的構成は、図１６に示した有機ＥＬ表示パネル３１０を組合わせたものとなっている。
【０００９】
分割駆動する従来の有機ＥＬ表示パネルの他の例として、表示部３２２Ｂを駆動するための陽極データ信号線３１９Ｂの引出し方法が異なる接続構成を図１９に示す。この例においては、有機ＥＬ表示パネル３１０の表示部３２２Ｂの陽極データ信号線３１９Ｂは表示部３２２Ａを経由して引き出され、有機ＥＬ表示パネル３１０の表示部３２２Ａの陽極データ信号線３１９ＡをデータドライバＩＣ３０８に接続するための接続パッドと表示部３２２Ｂの陽極データ信号線３１９ＢをデータドライバＩＣ３０８に接続するための接続パッドとが、表示部３２２Ａの同じ辺に沿うように配列されている。
【００１０】
図２０には、この陽極データ信号線３１９の配置が示されている。有機ＥＬ表示パネル３１０の表示部３２２は、電極形成基板３２６上に電極や有機ＥＬ発光素子を形成して作製される。表示部３２２Ａにおいては、陽極データ信号線３１９Ａと陽極データ信号線３１９Ｂとが交互に配置されており、陽極データ信号線３１９Ａに発光電流を流すための接続パッド３２４Ａと陽極データ信号線３１９Ｂに発光電流を流すための接続パッド３２４Ｂも、交互に配置されている。これらの接続パッド３２４Ａ、Ｂは、データドライバＩＣ３０８が搭載されたフレキシブル基板３０９の配線と接続されるため、交互に配置された接続パッドに応じて、フレキシブル基板３０９の配線も配置される。図２０においては、表示部３２２Ａを経由して表示部３２２Ｂを駆動するための陽極データ信号線３１９Ｂを配線するために、陽極データ信号線３１９Ｂが表示部３２２Ａを通過する部分が表示部３２２Ａの駆動に影響しないように絶縁部３２３を設けている。
【００１１】
図２１は、図２０に示した従来の有機ＥＬ表示パネル３１０に用いるためのデータドライバＩＣ３０８の内部の構成を示すブロック図である。また、図２２は、図２１のデータドライバＩＣ３０８のデータラッチ３４６がデータをラッチするタイミングを表わすタイミングチャートである。データドライバＩＣ３０８には、表示部３２２Ａに対応するデータドライバＩＣ３０８Ａと、表示部３２２Ｂに対応するデータドライバＩＣ３０８Ｂとがある。データドライバＩＣ３０８Ａおよび３０８Ｂの内部には、データラッチ３４６とそれに接続されたＤ／Ａコンバータ３２８が設けられている。表示部３２２Ａを駆動するデータドライバＩＣ３０８Ａには、フレームメモリ３０１Ａからデータバスライン３２９によってデータが転送され、表示部３２２Ｂを駆動するデータドライバＩＣ３０８には、フレームメモリ３０１Ｂからデータバスライン３３０によってデータが転送される。データドライバＩＣ３０８Ａおよび３０８Ｂの各データラッチ３４６は、制御用クロック３４１Ａおよび３４１Ｂに基づいてコントローラ３２７が生成するラッチ信号に同期して、データバスライン３２９および３３０からデータを取り込む。データバスライン３２９には、表示部３２２Ａに設けられている画素３３１〜３３５の駆動に用いるべきデータが順次伝達され、データバスライン３３０には、表示部３２２Ｂに設けられている画素３３６〜３４０の駆動に用いるべきデータが順次伝達される。
【００１２】
図２０には、データドライバＩＣ３０８によって表示部３２２Ａと３２２Ｂを共に駆動する他の従来のデータドライバＩＣの出力配線の配線パターンと、従来の有機ＥＬ表示パネル３１０の接続部のパターンも示されている。データドライバＩＣ３０８は、ＴＣＰ（Tape Carrier Package）などの実装方法によってフレキシブル基板３０９に接続されており、各出力配線は、フレキシブル基板３０９の片側の面にラミネートされた金属層をパターニングすることによって構成される。表示部３２２Ａの一つの辺に沿って配置されている接続パッド３２４Ａと接続パッド３２４Ｂが交互に配置されており、これに応じて、表示部３２２Ａと３２２Ｂを共に駆動するような従来のデータドライバにおけるフレキシブル基板の配線パターンにおいては、表示部３２２Ａを駆動するための配線の間に表示部３２２Ｂを駆動するための配線が配置されている。
【００１３】
ここに示したような有機ＥＬ表示パネルにおいて、複数の表示部を用いて延伸導線を用いる例（特許文献１）、および、表示部を分割して駆動する例（特許文献２）が開示されている。
【特許文献１】特開２００４−１１１３２０号公報
【特許文献２】特開２００４−７７５７２号公報
【発明の開示】
【発明が解決しようとする課題】
【００１４】
図２１に示したような従来の有機ＥＬ表示パネルにおいては、フレームメモリ３０１の複数のセグメントから供給するデータバスラインを複数設ける必要があり、配線が複雑になる問題がある。
【００１５】
また、図２０に示したような従来の有機ＥＬ表示パネル３１０において表示部３２２Ａと表示部３２２Ｂとに接続される列配線が交互になると、狭い接続ピッチで確実に接続する必要があり、良品率が低下する課題がある。
本発明は、上記問題の少なくともいくつかを解決することを課題とする。
【課題を解決するための手段】
【００１６】
本発明においては、出力データの配列を切り替えることができる有機ＥＬ表示装置が提供される。すなわち、本発明においては、第１群と第２群とに分けられるマトリクス状に配置された複数の有機ＥＬ発光素子と、複数の有機ＥＬ発光素子のそれぞれを駆動するための出力信号を出力する複数の駆動回路を含む駆動回路部とを備えてなり、駆動回路部は、第１群の各有機ＥＬ発光素子を発光させるための第１データと、第２群の各有機ＥＬ発光素子を発光させるための第２データとが交互に並べられてなる入力データから複数の出力信号を生成するものであり、第１群の有機ＥＬ発光素子を駆動する駆動回路と第２群の有機ＥＬ発光素子を駆動する駆動回路とが交互に並ぶよう複数の駆動回路が構成されているときに用いられ、入力データ中の各有機ＥＬ発光素子のためのデータを、入力データにおける順序に従って各駆動回路に割り当てる第１の入力割り当てと、第１群の有機ＥＬ発光素子を駆動する駆動回路が連続して並び、第２群の有機ＥＬ発光素子を駆動する駆動回路が連続して並ぶよう複数の駆動回路が構成されているときに用いられ、入力データのうち第１データを連続して並ぶ各駆動回路に割り当て、第２データを連続して並ぶ残りの各駆動回路に割り当てる第２の入力割り当てとを切り替える入力割り当て変更手段をさらに備える有機ＥＬ表示装置が提供される。また、第１群と第２群とに分けられるマトリクス状に配置された複数の有機ＥＬ発光素子と、複数の有機ＥＬ発光素子のそれぞれを駆動するための出力信号を出力する複数の駆動回路を含む駆動回路部とを備えてなり、駆動回路部は、第１群の各有機ＥＬ発光素子を発光させるための第１データと、第２群の各有機ＥＬ発光素子を発光させるための第２データとが交互に並べられてなる入力データから複数の出力信号を生成するものであり、入力データ中の各有機ＥＬ発光素子のためのデータは、入力データにおけるデータの順に連続して並ぶ各駆動回路に割り当てて入力され、第１群の有機ＥＬ発光素子を駆動するための接続パッドと第２群の有機ＥＬ発光素子を駆動するための接続パッドとが交互に並ぶよう各接続パッドが構成されているときに用いられ、各駆動回路の出力を、駆動回路部における駆動回路の並びの順に各接続パッドに出力させるよう割り当てる第１の出力割り当てと、第１群の有機ＥＬ発光素子を駆動するための接続パッドが連続して並び、第２群の有機ＥＬ発光素子を駆動するための接続パッドが連続して並ぶよう各接続パッドが構成されているときに用いられ、複数の駆動回路のうち、第１データが入力される各駆動回路の出力を連続して並ぶ接続パッドに出力するよう割り当て、第２データが入力される各駆動回路の出力を連続して並ぶ残りの接続パッドに出力するよう割り当てる第２の出力割り当てとを切り替える出力割り当て変更手段をさらに備える有機ＥＬ表示装置が提供される。
【００１７】
また、本発明においては、有機ＥＬ表示パネルの駆動手段も提供される。すなわち、第１群と第２群とに分けられるマトリクス状に配置された複数の有機ＥＬ発光素子と、該マトリクスの有機ＥＬ発光素子を駆動する複数の列配線とを備える有機ＥＬ表示パネルに接続可能に構成され、複数の有機ＥＬ発光素子の各有機ＥＬ発光素子を駆動するための出力信号を列配線に出力する複数の駆動回路を含む駆動回路部を備えてなる有機ＥＬ表示装置ＥＬ表示パネルの駆動手段であって、駆動回路部は、第１群の各有機ＥＬ発光素子を発光させるための第１データと、第２群の各有機ＥＬ発光素子を発光させるための第２データとが交互に並べられてなる入力データから複数の出力信号を生成するものであり、第１群の有機ＥＬ発光素子を駆動する駆動回路と第２群の有機ＥＬ発光素子を駆動する駆動回路とが交互に並ぶよう複数の駆動回路が構成されているときに用いられ、入力データ中の各有機ＥＬ発光素子のためのデータを入力データにおける順序に従って各駆動回路に割り当てる第１の入力割り当てと、第１群の有機ＥＬ発光素子を駆動する駆動回路が連続して並び、第２群の有機ＥＬ発光素子を駆動する駆動回路が連続して並ぶよう複数の駆動回路が構成されているときに用いられ、入力データのうち第１データを連続して並ぶ各駆動回路に割り当て、第２データを連続して並ぶ残りの各駆動回路に割り当てる第２の入力割り当てとを切り替える入力割り当て変更手段をさらに備える駆動手段が提供される。また、第１群と第２群とに分けられるマトリクス状に配置された複数の有機ＥＬ発光素子と、該マトリクスの有機ＥＬ発光素子を駆動する複数の列配線とを備える有機ＥＬ表示パネルに接続可能に構成され、複数の有機ＥＬ発光素子の各有機ＥＬ発光素子を駆動するための出力信号を列配線に出力する複数の駆動回路を含む駆動回路部を備えてなる有機ＥＬ表示装置ＥＬ表示パネルの駆動手段であって、駆動回路部は、第１群の各有機ＥＬ発光素子を発光させるための第１データと、第２群の各有機ＥＬ発光素子を発光させるための第２データとが交互に並べられてなる入力データから複数の出力信号を生成するものであり、第１群の有機ＥＬ発光素子を駆動するための接続パッドと第２群の有機ＥＬ発光素子を駆動するための接続パッドとが交互に並ぶよう各接続パッド構成されているときに用いられ、各駆動回路の出力を、駆動回路部における駆動回路の並びの順に各接続パッドに出力させるよう割り当てる第１の出力割り当てと、第１群の有機ＥＬ発光素子を駆動するための接続パッドが連続して並び、第２群の有機ＥＬ発光素子を駆動するための接続パッドが連続して並ぶよう各接続パッドが構成されているときに用いられ、複数の駆動回路のうち、第１データが入力される各駆動回路の出力を連続して並ぶ接続パッドに出力するよう割り当て、第２データが入力される各駆動回路の出力を連続して並ぶ残りの接続パッドに出力するよう割り当てる第２の出力割り当てとを切り替える出力割り当て変更手段をさらに備える駆動手段が提供される。
【００１８】
本発明の有機ＥＬ表示装置や駆動手段における入力割り当て変更手段あるいは入力割り当て変更手段とは、例えば、入力データがどの出力端子に出力されるかの割り当て（アサイメント）を変更する手段である。入力割り当て変更手段とは、駆動回路（例えば電流回路）などへの入力の割り当てを変更し、出力割り当て変更手段とは、駆動回路からの出力の並びを変更する。これらの割り当て変更手段は、データドライバＩＣにおいて、配線とスイッチ（切替手段）とを組合わせて、駆動回路部の一部として集積されて作製されることができる。このＩＣがフレキシブル基板に搭載された駆動手段においては、回路設計が同じＩＣを、有機ＥＬ表示パネルの駆動端子配列等にあわせて異なる出力配線パターンを有する異なるフレキシブル基板に搭載して、それぞれの場合に動作可能な駆動手段を構成することができる。このとき、集積回路は設計変更する必要がないため、コスト上昇を伴うことなく、有機ＥＬ表示パネルの駆動端子部分の複数の設計に対応可能な駆動手段を得ることができる。
【００１９】
さらに本発明の他の態様においては、フレキシブル基板部分の出力配線が新たな配置とされる有機ＥＬ表示装置や駆動手段が提供される。すなわち、本発明においては、有機ＥＬ表示パネルと駆動手段とを備える有機ＥＬ表示装置であって、該有機ＥＬ表示パネルは、第１群と第２群とに分けられるマトリクス状に配置された複数の有機ＥＬ発光素子と、第１群の有機ＥＬ発光素子を駆動するための複数の第１の列配線であって、各列配線が、駆動手段と接続するための第１のパッドを有している、複数の第１の列配線と、第２群の有機ＥＬ発光素子を駆動するための複数の第２の列配線であって、各列配線が、駆動手段と接続するための第２のパッドを有している、複数の第２の列配線とを備え、複数の第１のパッドは、マトリクスの周りの領域のうち有機ＥＬ発光素子の第１群に隣接する部分に沿う第１の線分上に配置され、複数の第２のパッドは、領域の辺に沿い、第１の線分と重ならない第２の線分上に配置されており、駆動手段は、各有機ＥＬ発光素子を駆動するための出力信号をいずれかの列配線に出力し、第１群の有機ＥＬ発光素子を発光させるための第１データと、第２群の有機ＥＬ発光素子を発光させるための第２データとが交互に並べられてなる入力データから複数の出力信号を生成する駆動回路群であって、 入力データのうちの第１データに基づく出力信号は、駆動手段において連続して並んでいるいくつかの駆動回路により生成され、第２データに基づく出力信号は、連続して並んでいる残りの駆動回路により生成される駆動回路群と、第１データに基づいて出力信号を生成する駆動回路からの出力を複数の第１のパッドに伝え、個々の配線が並走するよう形成された第１出力配線群と、第２データに基づいて出力信号を生成する駆動回路からの出力を複数の第２のパッドに伝え、個々の配線が並走するよう形成された第２出力配線群とを備えるフレキシブル基板とを備えている有機ＥＬ表示装置が提供される。また、本発明においては、第１群の有機ＥＬ発光素子を駆動するための複数の第１のパッドと、第２群の有機ＥＬ発光素子を駆動するための複数の第２のパッドとを有し、複数の第１のパッドは第１の線分上に配置され、複数の第２のパッドは、第１の線分と重ならない第２の線分上に配置されている、有機ＥＬ表示パネルに接続可能に構成されている有機ＥＬ表示パネルの駆動手段であって、第１群の有機ＥＬ発光素子を発光させるための第１データと、第２群の有機ＥＬ発光素子を発光させるための第２データとが交互に並べられてなる入力データから複数の出力信号を生成する駆動回路群であって、 入力データのうちの第１データに基づく出力信号は、駆動手段において連続して並んでいるいくつかの駆動回路により生成され、第２データに基づく出力信号は、連続して並んでいる残りの駆動回路により生成される、駆動回路群と、第１データに基づいて出力信号を生成する駆動回路からの出力を複数の第１のパッドに伝え、個々の配線が並走するよう形成された第１出力配線群と、第２データに基づいて出力信号を生成する駆動回路からの出力を複数の第２のパッドに伝え、個々の配線が並走するよう形成された第２出力配線群とを備えるフレキシブル基板とを備えている駆動手段が提���される。
【００２０】
このような有機ＥＬ表示装置や駆動手段においては、接続箇所のピッチを十分に確保して信頼性の高い実装が可能となる。
【００２１】
本発明においては、第１群と第２群の有機ＥＬ発光素子を有する有機ＥＬ表示パネルの駆動手段にデータを供給するためのデータ送信手段が提供される。すなわち、本発明においては、第１群の有機ＥＬ発光素子と第２群の有機ＥＬ発光素子とを含むマトリクス状に配置された複数の有機ＥＬ発光素子と、該マトリクスの各列の有機ＥＬ発光素子を駆動する複数の列配線とを備える有機ＥＬ表示パネルに接続可能に構成された駆動回路群であって、各駆動回路は、複数の有機ＥＬ発光素子の各有機ＥＬ発光素子を駆動するための複数の出力信号を列配線に出力する、駆動回路部を含む駆動手段に、画像に応じたデータを供給するためのデータ送信手段であって、第１群の有機ＥＬ発光素子に供給されるべきデータと第２群の有機ＥＬ発光素子に供給されるべきデータとを多重化するためのマルチプレクサと、マルチプレクサから出力される多重化されたデータを駆動手段に伝達するためのバスラインと、多重化されたデータを第１群の有機ＥＬ発光素子と第２群の有機ＥＬ発光素子とに振り分けるために駆動手段の制御に用いられるクロック信号を発生させるクロック発生器とを備えてなるデータ送信手段が提供される。
【００２２】
有機ＥＬ表示パネルが有機ＥＬ発光素子の群または集合からなる表示部を複数備えている場合に、画像データを例えばデータドライバＩＣに送信する際に、その複数の有機ＥＬ発光素子群を駆動するデータドライバＩＣに多重化したデータを転送すれば、データバスラインの数を削減できる。
【発明の効果】
【００２３】
本発明により、大幅なコスト上昇を伴うことなく、有機ＥＬ表示パネルの駆動端子部分の様々な構成に対応可能な有機ＥＬ発光素子、有機ＥＬ表示パネルの駆動手段を得ることができる。また、本発明により、有機ＥＬ表示パネルの駆動手段の接続箇所のピッチを十分に確保して信頼性の高い駆動回路実装が可能となる。さらに、本発明により、有機ＥＬ表示パネルの駆動手段へのデータ転送手段においてデータバスラインの数を削減できる。
【発明を実施するための最良の形態】
【００２４】
以下図面を参照して本発明の実施の形態について説明する。
本発明の駆動手段は、従来の技術として説明した図１９に示したように分割された表示部を有する有機ＥＬ表示パネルの列配線に接続して用いられる。また、本発明のデータ送信手段は、図１９に示したように分割された表示部を有する有機ＥＬ表示パネルの列配線に接続して用いられる駆動手段（本発明の駆動手段を含む）にデータを送信するために用いられる。
【００２５】
［実施の形態１：データ送信手段］
図１は、本発明の実施の形態のデータ送信手段１００の構成を、駆動手段および有機ＥＬ表示パネルの構成と関連付けて、データの流れを模式的に示すブロック構成図である。データ送信手段１００は、マルチプレクサ１０２と、データバスライン（データ送信手段）１０６と、クロック発生器１０４と、クロックデータライン１０８とを備える。このマルチプレクサ１０２は、フレームメモリ２の出力を伝達するデータバスライン２９とフレームメモリ３の出力を伝達するデータバスライン３０とが入力されて、表示部１１を駆動するための陽極データ陽極データ信号線１３（第１の列配線群）のそれぞれに供給されるフレームメモリ２からのデータと、表示部１２を駆動するための陽極データ信号線１４（第２の列配線群）のそれぞれに供給されるフレームメモリ３からのデータとを多重化する。この際、マルチプレクサ１０２は、制御信号４と５とにより制御され、フレームメモリ２とフレームメモリ３の何れからの出力をデータバスライン１０６に出力すべきかを決定し、フレームメモリ１に格納された画像データに応じたデータを駆動手段（データドライバＩＣ８）に供給する。制御信号４および５は、コントローラ１１０によって生成されることができる。
【００２６】
データドライバＩＣ８は、第１群の有機ＥＬ発光素子を含む表示部１１と第２群の有機ＥＬ発光素子を含む表示部１２の二つの表示部の列配線を駆動するように構成されている。すなわち、データドライバＩＣ８は、表示部１１に対応する陽極データ信号線１３を駆動する駆動回路と、表示部１２に対応する陽極データ信号線１４を駆動する駆動回路とを有する。なお、図１においては、陽極データ信号線１３、１４はデータの流れにより模式的に描いている。
【００２７】
クロック発生器１０４は、自律的に、あるいは、画像データの同期信号を抽出するなどの方法により、クロック信号を生成する。このクロック信号は、例えば、（フレーム周波数）×（表示部の横方向画素数）×（表示部分割数）の周波数のクロック信号とすることができる。表示部分割数とは、ここでは、有機ＥＬ表示パネル１０がいくつの行ブロックに分割されて表示される数であり、表示部１１と表示部１２のように二つの行ブロックに分割されるときには２となる。このクロック信号は、クロックデータライン１０８により、例えばコントローラ１１０に伝達される。コントローラ１１０は、そのクロック信号に同期させて、マルチプレクサ１０２を制御する制御信号４および５を生成したり、データドライバＩＣ８を制御する制御信号４４を生成する。データドライバＩＣ８は、有機ＥＬ表示パネルの表示部１１と表示部１２とを多重化されたデータによって適切に駆動するために制御信号４４を用いる。また、コントローラは、データドライバＩＣ８と走査ドライバＩＣ１５および１６とが連携して適切にマトリックス駆動による画像表示ができるように、データドライバＩＣ８と走査ドライバＩＣ１５および１６に対する他の制御信号も出力する。
【００２８】
図２はこの場合のデータドライバＩＣ８へのデータ入力のタイミングを示すタイミングチャートである。また、図３は、データドライバＩＣ８の内部の構成とその周辺の接続の構成を示すブロック構成図である。図２に示したように、マルチプレクサ１０２は、制御信号４が高レベルのときデータバスライン２９からのデータを出力し、制御信号５が高レベルのときデータバスライン３０からのデータを出力する。これら制御信号が低レベルの際は対応するデータは出力されない。また、制御信号４および５は同時に高レベルとはならないようにされている。データドライバＩＣ８のデータ入力信号４５は、データバスライン１０６上で衝突しないように多重化されて入力データの系列とされている。クロックデータライン１０８のクロックは、従来のクロック４１の倍の周期のクロックとされていて、コントローラ１１０はこのクロックに基づいて制御信号４および５を出力する。周期が倍となっているのは、表示の分割数が２であることに対応している。このように、データドライバＩＣ８内においてデータを取り込むデータラッチ４６は、クロックデータライン１０８のクロックにより直接的または間接的に制御されている。
【００２９】
また、図３に示したように、データドライバＩＣ８内には、データラッチ４６、Ｄ／Ａコンバータ２８（駆動回路）、コントローラ２７が備えられている。Ｄ／Ａコンバータ２８は、表示部１１を駆動するためのＤ／Ａコンバータ２８Ａと、表示部１２を駆動するためのＤ／Ａコンバータ２８Ｂとにより構成されている。Ｄ／Ａコンバータ２８Ａの出力は、表示部１１の列配線１３に伝達され、Ｄ／Ａコンバータ２８Ｂの出力は、表示部１１の列配線１４に伝達される。また、表示部１１および１２には、それぞれ多数の画素が設けられている。例えば、表示部１１には、画素３１〜３５が設けられており、表示部１２には、画素３６〜４０が設けられている。再び図２に戻ると、これらの画素３１〜３５を駆動するための信号は、データバスライン１０６上でデータドライバのデータ入力信号４５に示したように多重化される。図３に示した各データラッチ４６は、制御信号４４に基づいてデータドライバＩＣ８のコントローラ２７が生成するサンプリング信号（図示しない）に同期して、データバスライン１０６からデータを取り込む。このように、本実施形態のデータ送信手段１００は、表示部１１と表示部１２とに対応する駆動手段（データドライバＩＣ８）に用いることができる。
【００３０】
［実施の形態２：駆動手段］
次に、本発明の駆動手段について、図４〜図１４を用いて説明する。
図４は、本発明のある実施形態の駆動手段（データドライバＩＣ）の構成を示すブロック構成図である。図４には、アルファベットＡ〜Ｈにより区別される出力端子４９を駆動するために、出力端子４９への信号の割り当て配列を切り替えるための切替手段４８と、切替手段４８を制御するための切替信号線４７を備えるデータドライバＩＣ８（駆動手段）の構成を示す。切替手段４８は、そこに接続される配線の接続構成と組合わせることにより、本発明の入力割り当て変更手段として動作する。
【００３１】
表示部１１と表示部１２用の画像データを保持するフレームメモリ２とフレームメモリ３からのデータは、データバスライン１０６に時間的に多重化されて伝達されることができる。このデータバスライン１０６上のデータは、各データラッチ４６によって適切なタイミングでサンプリングされて保持される。図では省略しているが、各データラッチ４６には、データをサンプリングするタイミングを制御し、さらにそのデータを転送するタイミングを制御するラッチ信号がコントローラ２７から入力される。データラッチ４６によりサンプリングされたデータは、出力端子Ａと出力端子Ｈに出力されるものを除き、データ切替器４８を経由する。切替信号線４７は、各切替器４８が第１の入力４８Ａからの入力を受け取るか、第２の入力４８Ｂからの入力を受け取るかを切り替えるための切替信号を伝達する。この切替信号は、外部のコントローラからデータドライバＩＣ８に入力される。切替器４８の出力は、データラッチ６１に保持され、Ｄ／Ａコンバータ２８に送られて出力信号４９となる。出力端子Ａと出力端子Ｈに出力されるデータは、データラッチ４６によりサンプリングされたのち、Ｄ／Ａコンバータ２８に送られて出力信号４９となる。
【００３２】
図５は、本実施形態の駆動手段において二つの動作態様（モード１およびモード２）のデータ出力の配列を示す説明図であり、図６および図７は、それぞれモード１とモード２に対応しており、データドライバＩＣ８のデータの伝達経路を示す説明図である。フレームメモリ２およびフレームメモリ３からの出力は、データラッチ４６によりデータバスライン１０６からサンプリングされる。ここで、切替器４８は、モード１の場合には、入力４８Ａ側を選択的に受け取って出力するように制御され、モード２の場合には、入力４８Ｂ側を選択的に受け取って出力するように制御される。データドライバＩＣ８のデータは、モード１においては、図６に示したように、データラッチ４６の配列の順序をそのまま出力端子の順序とするように出力され、モード２においては、図７に示したように、データラッチ４６の順序を変更して出力端子の順序とするように出力される。つまり、モード１においては、入力データをその入力の順序に従って各Ｄ／Ａコンバータ２８に割り当てており（第１の入力割り当て）、モード２においては、入力データのうち表示部１１を駆動するデータを連続するＤ／Ａコンバータ２８で出力Ａ〜Ｄを担当するものに割り当て、表示部１２を駆動するデータを連続する残りのＤ／Ａコンバータ２８で出力Ｅ〜Ｈを担当するものに割り当てている（第２の入力割り当て）。この構成では、切替器４８の制御により、このモード１とモード２とが切り替えられて、図５に示したような信号の配列が実現する。
【００３３】
図８および図９は、それぞれモード１とモード２に対応しており、データドライバＩＣ８の出力端子を有機ＥＬ表示パネルに接続する際の回路図である。図１０は、図９の回路図を実現するためのフレキシブル基板９とデータドライバＩＣ８の構成と、有機ＥＬ表示パネルの構成を示す構成図である。図８に示したように、モード１においては、出力端子Ａ〜Ｈは、交互に表示部１１と表示部１２を駆動するように接続される。このときＤ／Ａコンバータ２８も、表示部１１と表示部１２を駆動するものが交互になるように並んでいる。言い換えれば、隣り合った端子が二つずつ組になって表示部１１と表示部１２の同一の列を駆動する。例えば、出力端子ＡとＢが組にされ、出力端子Ａは表示部１１の最も左の列の駆動に用いられ、出力端子Ｂは、表示部１２のうち、出力端子Ａが駆動するのと同じ最も左の列の駆動に用いられる。これに対し、図９に示したモード２においては、出力端子Ａ〜Ｈは、前半の出力端子Ａ〜Ｄが表示部１１を駆動し、鋼板の出力端子Ｅ〜Ｈは、表示部１２を駆動する。このときＤ／Ａコンバータ２８も、最初に表示部１１を駆動するものが連続して並び、次に表示部１２を駆動するものが連続して並んでいる。言い換えるなら、出力端子Ａと出力端子Ｅが組にされて、出力端子Ａは表示部１１の最も左の列の駆動に用いられ、出力端子Ｅが、表示部１２のうち、出力端子Ａが駆動するのと同じ最も左の列の駆動に用いられる。
【００３４】
データドライバＩＣ８の出力端子Ａ〜Ｈは、フレキシブル基板９に設けられた配線に接続される。なお、このフレキシブル基板における配線は、配線が端子の順序を保って接続されるように構成される。そして、モード１に対応する図８の回路構成の場合には、図２０に示した従来の場合と同様である。これに対し、モード２に対応する図９の回路構成の場合には、図９に示したように、二つの突出部９Ａおよび９Ｂがフレキシブル基板に設けられて、各突出部の配線が、有機ＥＬ表示パネルの電極形成基板２６の陽極データ信号線１３と陽極データ信号線１４に別々に接続可能に構成されている。ここで、図１０に示したフレキシブル基板の配線は、フレキシブル基板の単一の導電体層からパターニングによって形成されて、有機ＥＬ表示パネルの電極形成基板２６の陽極データ信号線１３と陽極データ信号線１４に接続可能に構成されている。このような出力端子の配列にあわせて、有機ＥＬ表示パネルの陽極電極のパッド２４（第１のパッド）と陽極電極のパッド２５（第２のパッド）の接続パッド部が互いに平行な二つの直線上に配列されて、干鳥状配列とされている。図１０のように有機ＥＬ表示パネルの接続パッド部を干鳥状に配列して、駆動手段の出力端子もこれに合わせることにより、有機ＥＬ表示パネルとフレキシブル基板９との接続の信頼性を確保しながら、狭いピッチでの接続が可能となる。フレキシブル基板９には、表示部１１を駆動するための複数の配線（第１出力配線群）と、表示部１２を駆動するための複数の配線（第２出力配線群）が備えられている。第１出力配線群の個々の出力配線は、データドライバＩＣ８から並走するようにリップ部９Ａに延びて第１のパッド２４に接続される。同様に、第２出力配線群の個々の出力配線は、データドライバＩＣ８から並走するようにリップ部９Ｂに延びて第１のパッド２５に接続される。なお、この例においては、リップ部９Ａと９Ｂに分かれているフレキシブル基板９を用いているが、フレキシブル基板９を有機ＥＬパネル１０の電極形成基板２６のパッド２４および２５に接続する際の位置合わせ作業を一度とするために、例えば矩形のフレキシブル基板に、図１０に示した出力配線パターンが形成されていていることができる。
【００３５】
なお、図４、図６、図７の構成においては、切替信号線４７によって各切替器４８の動作が制御されている。このため、切替信号線４７を例えばグランドラインに接続するか、有限の電圧の特定の電源ラインに接続するかにより切替器４８が切り替えられるように構成することができる。また、これ以外に、例えばコントローラ２７からの信号によって切替器４８が切り替えられるように構成することもできる。
【００３６】
図１１は本発明の他の実施形態の駆動手段の構成を示すブロック構成図である。本実施形態は、図４に示した構成とは異なり、Ｄ／Ａコンバータ２８の出力をアナログ信号切替器５０によって切り替える構成である。したがって、本実施形態においては、データは、データラッチ４６とデータラッチ６１経由した後Ｄ／Ａコンバータ２８へ送られて、アナログ信号切替器５０を経由して出力される。ここでは、切替手段５０は、そこに接続される配線の接続構成と組合わせることにより、本発明の出力割り当て変更手段として動作する。この場合にも、入力割り当て変更手段による場合と同様の入力データと出力の割り当ての変更が可能となる。
【００３７】
図１２は本発明の更に他の実施形態の駆動手段の構成を示すブロック構成図である。本実施形態は、図４および図１１に示した構成とは異なり、サンプリングタイミングが個別に制御されるデータラッチ５１を用いる。サンプリングタイミングはコントローラ２７の制御によってラッチ信号（５３〜６０）により制御される。データラッチ４６を制御するラッチ信号５２の制御もコントローラ２７で実施される。このため、モード切替信号４７は、コントローラ２７に入力される。これにより、Ｄ／Ａコンバータ２８の出力をアナログ信号切替器５０によって切り替える構成である。したがって、本実施形態においては、コントローラ２７では、その際のモードに対応して、必要なタイミングで個別データのラッチ信号（５３〜６０）を有効にしてデータをサンプリングする。このサンプリングタイミングは、出力端子に出力すべきデータのタイミングに応じて、コントローラ２７がラッチ信号（５３〜６０）を制御することにより個々のラッチ７１〜７８には適切なタイミングでデータバスライン１０６のデータが取り込まれる。取り込まれたデータは、データラッチ４６を経由した後Ｄ／Ａコンバータ２８へ送られて出力される。サンプリングを行うラッチ７１〜７８は、駆動回路（Ｄ／Ａコンバータ２８）への入力データの割り当てを変更する動作をするため、本発明の入力割り当て変更手段として動作する。
【００３８】
図１３と図１４は、本実施形態の駆動手段における信号のタイミングチャートであり、それぞれモード１とモード２に対応している。本実施形態においては、有機ＥＬ表示パネル１０が直前の行（走査線）を発光させている間に個々のデータラッチ７１〜７８を用いてデータバスライン１０６からデータをサンプリングする。このサンプリングのタイミングは、後段にあるデータラッチ４６が、データを書き込もうとする走査線へのデータを受け入れる状態になった後である。
【００３９】
モード１においては、図１３に示すように、ラッチ７１〜７８へのラッチ信号５３〜６０が配列の順に有効にされる。これにより、データバスライン１０６の信号は順にサンプリングされて、一括ラッチ信号５２によって一斉にＤ／Ａコンバータにより出力される。これにより、図８のようにデータが配列される。これに対し、モード２においては、図１４に示すように、ラッチ信号５３〜６０が有効にされる順序は配列の順ではない。この順序は、ラッチ信号５３、５７、５４、５８、５５、５９、５６、６０の順である。これは、データ［ｉ］（ｉ＝０〜７）をｉの偶奇によって分け、ｉが偶数のデータは出力端子Ａ〜Ｄに出力するようサンプリングし、ｉが奇数のデータは出力端子Ｅ〜Ｈに出力するようサンプリングする。
【００４０】
以上、本発明の実施の形態につき述べたが、本発明は既述の実施の形態に限定されるものではなく、本発明の技術的思想に基づいて各種の変形、変更および組合わせが可能である。
【００４１】
例えば、図３の構成の他の実施形態として、データドライバＩＣ８が、クロックを直接受け取って自らの動作を制御し得る制御部を備えている場合には、クロックデータライン１０８のクロック信号がデータドライバＩＣ８に入力されるように構成されていてもよい。
【００４２】
また、図４の例においては、動作を説明するために、データ電極用の出力端子４９は８個のみ示しているが、本発明の出力信号の数がこれに制限されるものではない。また、複数の繰り返し単位を設けて、各単位内においてのみ切り替えが行われるものであっても良い。また、図４ではデータラッチ４６によるサンプリング動作を説明するが、本発明においては、例えば多重化された信号を伝達し得るように駆動されるシフトレジスタ列などによってデータ転送とサンプリング動作が行われても良い。
【図面の簡単な説明】
【００４３】
【図１】本発明の実施の形態のデータ送信手段の構成を、駆動手段および有機ＥＬ表示パネルの構成と関連付けて、データの流れを模式的に示すブロック構成図である。
【図２】この場合のデータドライバＩＣへのデータ入力のタイミングを示すタイミングチャートである。
【図３】データドライバＩＣの内部の構成とその周辺の接続の構成を示すブロック構成図である。
【図４】本発明のある実施形態の駆動手段（データドライバＩＣ）の構成を示すブロック構成図である。
【図５】本実施形態の駆動手段において二つの動作態様（モード１およびモード２）のデータ出力の配列を示す説明図である。
【図６】データドライバＩＣのデータの伝達経路を示す説明図であり、モード１に対応するものである。
【図７】データドライバＩＣのデータの伝達経路を示す説明図であり、モード２に対応するものである。
【図８】データドライバＩＣの出力端子を有機ＥＬ表示パネルに接続する際の回路図であり、モード１に対応するものである。
【図９】データドライバＩＣの出力端子を有機ＥＬ表示パネルに接続する際の回路図であり、モード２に対応するものである。
【図１０】図９の回路図を実現するためのフレキシブル基板とデータドライバＩＣの構成と、有機ＥＬ表示パネルの構成を示す構成図である。
【図１１】本発明の他の実施形態の駆動手段の構成を示すブロック構成図である。
【図１２】本発明の更に他の実施形態の駆動手段の構成を示すブロック構成図である。
【図１３】本実施形態の駆動手段における信号のタイミングチャートであり、それぞれモード１に対応するものである。
【図１４】本実施形態の駆動手段における信号のタイミングチャートであり、それぞれモード２に対応するものである。
【図１５】従来のパッシブマトリクス方式により駆動される有機ＥＬ表示パネルの構成要素を示すブロック構成図である。
【図１６】従来の有機ＥＬ表示パネルの表示部の電気的構成を示す回路図である。
【図１７】従来の分割駆動により駆動される有機ＥＬ表示パネルの構成要素を示すブロック構成図である
【図１８】分割駆動する従来の有機ＥＬ表示パネルの表示部の電気的構成を示す回路図である
【図１９】従来の有機ＥＬ表示パネルにおいて表示部を駆動するための陽極データ信号線の引出し方法が異なる接続構成図である。
【図２０】従来の有機ＥＬ表示パネルの陽極データ信号線の配置図である。
【図２１】図２０に示した従来の有機ＥＬ表示パネルに用いるためのデータドライバＩＣ３０８の内部の構成を示すブロック図である。
【図２２】従来の有機ＥＬ表示パネルの図２１のデータドライバＩＣのデータラッチのタイミングを表わすタイミングチャートである。
【符号の説明】
【００４４】
２、３  フレームメモリ
４、５  制御信号
１１、１２  表示部
１３  陽極データ信号線（第１の列配線）
１４  陽極データ信号線（第２の列配線）
８  データドライバＩＣ（駆動手段）
Ａ〜Ｈ  出力端子
９  フレキシブル基板
９Ａ、９Ｂ  リップ部
１０  有機ＥＬ表示パネル
２４、２５  陽極電極のパッド（接続パッド）
２６  電極形成基板
２７  コントローラ（タイミング制御手段）
２８  Ｄ／Ａコンバータ
２８Ａ  Ｄ／Ａコンバータ（駆動回路）、２８Ｂ  Ｄ／Ａコンバータ（駆動回路）
２９、３０  データバスライン
３１〜３５、３６〜４０  画素
４１  従来のクロック
４４  制御信号
４６  データラッチ
４７  切替信号線
４８  切替器（入力選択手段）
４８Ａ、４８Ｂ  入力
４９  出力信号
５０  アナログ信号切替器（出力選択手段）
５２  一括ラッチ信号
５３〜６０  ラッチ信号
７１〜７８  ラッチ（サンプリング手段）
１００  送信手段
１０２  マルチプレクサ
１０４  クロック発生器
１０６  データバスライン
１０８  クロックデータライン
１１０  コントローラ
【図１】
2006163246.tif 000003
【図２】
2006163246.tif 000004
【図３】
2006163246.tif 000005
【図４】
2006163246.tif 000006
【図５】
2006163246.tif 000007
【図６】
2006163246.tif 000008
【図７】
2006163246.tif 000009
【図８】
2006163246.tif 000010
【図９】
2006163246.tif 000011
【図１０】
2006163246.tif 000012
【図１１】
2006163246.tif 000013
【図１２】
2006163246.tif 000014
【図１３】
2006163246.tif 000015
【図１４】
2006163246.tif 000016
【図１５】
2006163246.tif 000017
【図１６】
2006163246.tif 000018
【図１７】
2006163246.tif 000019
【図１８】
2006163246.tif 000020
【図１９】
2006163246.tif 000021
【図２０】
2006163246.tif 000022
【図２１】
2006163246.tif 000023
【図２２】
2006163246.tif 000024